(57)【要約】【課題】服薬催告機能付き服薬管理支援装置において、時刻設定ボタンを操作しないで服薬予定時刻の設定ができるようにすること。【解決手段】利用者が服薬完了時刻の午前６時３２分よりも前の午前６時１８分に薬箱の蓋を閉じたならば、制御部１１は午前６時１８分を服薬完了時刻として服薬完了時刻記憶部１４ａに記憶し、液晶表示器１７に点滅表示させる。続いて、制御部１１は午前６時１８分に調整時間（例えばプラス１０分）を加減して翌日の服薬予定時刻を算出し、服薬予定時刻記憶部１４ｂに記憶する。従って、翌日の服薬予定時刻は午前６時３２分から午前６時２８分に自動的に更新される。服薬予定時刻である午前６時３２分までに利用者が薬箱の蓋を開閉しなかった場合、制御部１１はブザー１８を駆動して服薬催告を行う。【選択図】    図１
2004329399.tif 000002
【特許請求の範囲】
【請求項１】
制御部と計時部と記憶部と報知部とを備えた電子時計と薬入れ開閉センサとで構成され、前記薬入れ開閉センサの閉信号が発生した時刻を服薬完了時刻として記憶し且つ表示する服薬完了時刻記憶表示機能と、服薬予定時刻に服薬催告を行う服薬催告機能とを有する服薬管理支援装置において、前記服薬完了時刻に基づいて翌日の服薬予定時刻が設定されることを特徴とする服薬管理支援装置。
【請求項２】
前記翌日の服薬予定時刻は当日の服薬完了時刻に所定の演算を施して得られた時刻であることを特徴とする請求項１の服薬管理支援装置。
【請求項３】
前記翌日の服薬予定時刻は、前記記憶部に記憶されている複数の服薬完了時刻の中から選ばれたものであることを特徴とする請求項１の服薬管理支援装置。
【請求項４】
制御部と計時部と記憶部と報知部とを備えた電子時計と２４時間電子タイマーと薬入れ開閉センサとで構成され、前記薬入れ開閉センサの閉信号が発生した時刻を服薬完了時刻として記憶し且つ表示する服薬完了時刻記憶表示機能と、前記２４時間電子タイマーの出力信号が発生したときに服薬催告を行う服薬催告機能とを有する服薬管理支援装置において、前記２４時間電子タイマーは前記電子時計の制御部によって前記服薬完了時刻に計数をスタートさせられることを特徴とする服薬管理支援装置。
【請求項５】
薬入れの開閉を検出する操作ピンを備えた２４時間電子タイマーの出力信号が発生したときに服薬催告を行う服薬管理支援装置において、前記２４時間電子タイマーは薬入れが開かれときに前記操作ピンによってリセットされ、薬入れが閉じられたときに前記操作ピンによって計数をスタートさせられることを特徴とする服薬管理支援装置。
【請求項６】
前記２４時間電子タイマーは２４時間プラスマイナス３０分の範囲内で設定値が変更できるものであることを特徴とする請求項４又は５の服薬管理支援装置。
【発明の詳細な説明】
【０００１】
【発明の属する技術分野】
本発明は、処方薬の飲み忘れや二度飲みを防止する服薬管理支援装置に関し、特に処方薬を毎日一人で服用している人の適正な服薬を支援する服薬管理支援装置に関する。
【０００２】
【従来の技術】
概ね毎日同じ時刻に薬を服用する人は、薬を飲んだか否か思い出せなくなって時々不安に襲われている。薬の飲み忘れや二度飲みは、場合によっては命に関るからである。従って、服薬したことをその都度確認することは必要なことである。ところが、概ね毎日同じ時刻に行う服薬行為を、服薬した本人が一人で確実に確認することは現実には結構難しいことである。このため、自分の服薬行為を思い出せないことから生じる不安が、非常に多くの人を襲っているのである。
【０００３】
そこで、本願出願人は、特許第３３０８９７２号公報（特許文献１）に開示する如く、服薬行為を明瞭に記憶し或いは思い出せるように支援する服薬管理支援装置を開発した。
【０００４】
この服薬管理支援装置は、電子時計と薬入れ開閉センサとから構成され、利用者が薬入れを開けたことを薬入れ開閉センサが検出した時刻を服薬完了時刻として前記電子時計のメモリに記憶し且つ表示器に表示することによって、利用者が服薬行為の確認を簡単且つ確実に行えるように支援する装置である。
【０００５】
ところが、利用者が服薬行為を予定の時刻に行わなかった場合には、上述の服薬管理支援装置は残念ながら役に立たない場合が起りうる。例えば、上述の服薬管理支援装置を利用して毎食後服薬している利用者が、忙しさのあまり昼食後の服薬を忘れ、しかも服薬したと思い込んでしまった場合である。このような場合、利用者は上述の服薬管理支援装置を操作して服薬の再確認を行わないから、夕食後の服薬の時まで薬の飲み忘れに気づかない事態が生じることになる。
【０００６】
従来から、薬の飲み忘れを防止することを目的にした服薬催告アラーム付薬箱が開発され、市販もされている。例えば、実開昭６４−４３９３０号公報（特許文献２）には、服薬予定時刻と現在時刻との差の経過時間を予め計算してタイマー設定を行う服薬催告アラーム付薬箱と、服薬予定時刻を予め設定する服薬催告アラーム付薬箱とが開示されている。
【０００７】
しかしながら、タイマー設定を行う従来の服薬催告アラーム付薬箱は、タイマーの設定を服薬前に必ず行わなければならないので、極めて煩わしく使い難いものである。また、服薬予定時刻を予め設定する従来の服薬催告アラーム付薬箱は服薬予定時刻の設定もその後の変更も時刻設定ボタンを操作しながら行うものであるが、時刻設定ボタンの操作は利用者にとって面倒な作業である。特に処方薬を毎食後、毎食前、食間等の如く１日複数回服用する高齢の利用者にとっては、服薬予定時刻を設定したり変更することは非常に煩わしい作業である。このため、服薬予定時刻を予め設定する従来の服薬催告アラーム付薬箱も極めて使い難いものである。
【０００８】
【特許文献１】
特許第３３０８９７２号公報
【特許文献２】
実開昭６４−４３９３０号公報
【０００９】
【発明が解決しようとする課題】
本発明が解決しようとする第１の課題は、処方薬の飲み忘れや二度飲みを防止する操作が簡単な服薬管理支援装置を提供することである。
【００１０】
本発明が解決しようとする第２の課題は、服薬催告機能を有する服薬管理支援装置において、時刻設定ボタンを操作しないで服薬予定時刻の設定を簡単に行えるようにすることである。
【００１１】
【課題を解決するための手段】
上述の課題を解決する第１の服薬管理支援装置は、電子時計と薬入れ開閉センサとで構成され、前記薬入れ開閉センサの閉信号が発生した時刻を服薬完了時刻として記憶し且つ表示する服薬完了時刻記憶表示機能と、記憶されている服薬予定時刻に現在時刻が到達した時に服薬催告を行う服薬催告機能とを有する服薬管理支援装置において、前記服薬完了時刻に基づいて翌日の服薬予定時刻が設定されることを特徴とするものである。
【００１２】
上述の第１の服薬管理支援装置において、前記翌日の服薬予定時刻は、当日の服薬完了時刻に所定の演算を施して得られた時刻である。
【００１３】
又は、上述の第１の服薬管理支援装置において、前記翌日の服薬予定時刻は、前記記憶部に記憶されている複数の服薬完了時刻の中から選ばれたものである。
【００１４】
上述の課題を解決する第２の服薬管理支援装置は、電子時計と２４時間電子タイマーと薬入れ開閉センサとで構成され、前記薬入れ開閉センサの閉信号が発生した時刻を服薬完了時刻として記憶し且つ表示する服薬完了時刻記憶表示機能と、前記２４時間電子タイマーの出力信号が発生したときに服薬催告を行う服薬催告機能とを有する服薬管理支援装置において、前記２４時間電子タイマーは前記電子時計の制御部によって前記服薬完了時刻に計数をスタートさせられることを特徴とするものである。
【００１５】
上述の第２の服薬管理支援装置において、前記２４時間電子タイマーは、２４時間プラスマイナス３０分の範囲内で設定値が変更できるものである。
【００１６】
上述の課題を解決する第３の服薬管理支援装置は、薬入れの開閉を検出する操作ピンを備えた２４時間電子タイマーの出力信号が発生したときに服薬催告を行う服薬管理支援装置において、前記２４時間電子タイマーは薬入れが開かれときに前記操作ピンによってリセットされ、薬入れが閉じられたときに前記操作ピンによって計数をスタートさせられることを特徴とするものである。
【００１７】
上述の第３の服薬管理支援装置において、前記２４時間電子タイマーは、２４時間プラスマイナス３０分の範囲内で設定値が変更できるものである。
【００１８】
【発明の実施の形態】
（第１実施形態）
図１のブロック図に示す第１実施形態の服薬管理支援装置は、図９に斜視図で示す１個の薬入れを有する薬箱１に、電子時計２と薬入れ開閉センサとが組み込まれて構成された服薬管理支援装置である。前記電子時計は、プログラムに従って各種の演算と制御を行うＣＰＵの如き制御部１１、時刻を計時する計時部１２、前記プログラムが記憶されたＲＯＭの如きプログラム記憶部１３、服薬完了時刻が記憶された服薬完了時刻記憶部１４ａと服薬予定時刻テーブルが記憶された服薬予定時刻記憶部１４ｂとを有するＲＡＭの如きデータ記憶部１４、時刻設定ボタン１５、服薬完了時刻を再確認するための確認ボタン１６、液晶表示器１７、ブザー１８とで構成されている。液晶表示器１７は報知部を構成するものである。
なお、図９において、１ａは薬箱本体、１ｂは薬入れ、１ｃは蓋、１ｄは薬殻入れである。
【００１９】
前記薬入れ開閉センサは検出ピン２５ａを備えた蓋開閉センサ２５である。即ち、蓋開閉センサ２５は、利用者が薬入れの蓋１ｃを開けた時に蓋開信号を、蓋１ｃを閉めた時に蓋閉信号を夫々発生し制御部１１に入力する。
【００２０】
図１に示す服薬管理支援装置の初期設定時の動作は、図２のフローチャートに示す如くである。即ち、服薬管理支援装置は、薬入れの蓋開閉センサ２５からの蓋閉信号の入力を待機している（１０１）。蓋閉信号が入力されると、服薬管理支援装置は、第１服薬完了時刻の記憶と表示を行う（１０２）。即ち、制御部１１は前記蓋閉信号が入力された時に計時部１２が計時している現在時刻を、第１服薬完了時刻としてデータ記憶部１４の服薬完了時刻記憶部１４ａに記憶し、液晶表示器１７に３秒間だけ点滅表示させる。利用者が午前６時３２分に薬入れの蓋を閉めたとすれば、第１服薬完了時刻は午前６時３２分である。
【００２１】
ステップ１０２に続いて、服薬管理支援装置は翌日の第１服薬予定時刻を算定し（１０３）、データ記憶部１４の服薬予定時刻記憶部１４ｂに記憶する（１０４）。翌日の第１服薬予定時刻は、第１服薬完了時刻の前後３０分の範囲で算出されるものであるが、この第１実施形態では第１服薬完了時刻と同じ時刻が算出されるようにプログラムされているものとする。従って、翌日の第１服薬予定時刻、即ち朝食時の服薬予定時刻は午前６時３２分と算出され、記憶される。このように利用者が薬箱の蓋を開閉するだけで、第１服薬予定時刻が自動的に設定される。
【００２２】
ステップ１０４に続いて、服薬管理支援装置は蓋閉信号の入力を待機している（１０５）。蓋閉信号が入力されると、服薬管理支援装置は第２服薬完了時刻の記憶と表示を行う（１０６）。即ち、制御部１１は前記蓋閉信号が入力された時に計時部１２が計時している現在時刻を、第２服薬完了時刻としてデータ記憶部１４の服薬完了時刻記憶部１４ａに記憶し、液晶表示器１７に３秒間だけ点滅表示させる。利用者が午後７時１６分に薬入れの蓋を閉めたとすれば、第２服薬完了時刻は午後７時１６分である。
【００２３】
ステップ１０６に続いて、服薬管理支援装置は翌日の第２服薬予定時刻を算定し（１０７）、データ記憶部１４の服薬予定時刻記憶部１４ｂに記憶する（１０８）。翌日の第２服薬予定時刻は、第２服薬完了時刻と同じ時刻が算出されるようにプログラムされているものとする。従って、翌日の第２服薬予定時刻、即ち夕食時の服薬予定時刻は午後７時１６分と算出され、記憶される。このように利用者が薬箱の蓋を開閉するだけで、第２服薬予定時刻が自動的に設定される。このような流れを経て、服薬管理支援装置は初期設定の処理を終了する。
【００２４】
次に、図１に示す服薬管理支援装置の初期設定後の動作は、図３のフローチャートに示す如くである。図２のフローチャートに従って初期設定された第１服薬予定時刻は午前６時３２分であり、第２服薬予定時刻は午後７時１６分である。
【００２５】
（第１服薬予定時刻よりも前に服薬した場合）
第１服薬予定時刻である午前６時３２分よりも早い午前６時１８分に利用者が服薬した場合、服薬管理支援装置は第１服薬予定時刻の到達の判定（２０１）と蓋閉信号の入力の判定（２０２）と第１服薬時間帯か否かの判定（２０３）に続いて、第１服薬完了時刻の記憶と表示を行う（２０４）。即ち、制御部１１は午前６時１８分を当日の第１服薬完了時刻として服薬完了時刻記憶部１４ａに記憶し、液晶表示器１７に３秒間だけ点滅表示させる。第１服薬時間帯は、第１服薬予定時刻の前１時間から後１時間までの間の２時間である。
【００２６】
第１服薬完了時刻の記憶と表示（２０４）に続いて、服薬管理支援装置は翌日の第１服薬予定時刻を更新する（２０５）。即ち、制御部１１は服薬完了時刻記憶部１４ａに記憶された当日の第１服薬完了時刻に調整時間を加減して翌日の第１服薬予定時刻を算出し、服薬予定時刻記憶部１４ｂに記憶する。ここでは、調整時間をプラス１０分とする。従って、翌日の第１服薬予定時刻は午前６時１８分に１０分を加えた午前６時２８分となる。このようにして、翌日の第１服薬予定時刻は午前６時３２分から午前６時２８分に更新される。
【００２７】
（第１服薬予定時刻よりも後に服薬した場合）
第１服薬予定時刻である午前６時３２分までに服薬しなかった場合、服薬管理支援装置は第１服薬予定時刻の到達の判定（２０１）に続いて、第１服薬予定時刻である旨の服薬催告を行う（２０６）。
【００２８】
第１服薬予定時刻の午前６時３２分より後の午前６時３９分に利用者が服薬したならば、服薬管理支援装置は蓋閉信号の入力の判定（２０２）と第１服薬時間帯か否かの判定（２０３）に続いて、第１服薬完了時刻の記憶と表示を行う（２０４）。即ち、制御部１１は午前６時３９分を当日の第１服薬完了時刻として服薬完了時刻記憶部１４ａに記憶し、液晶表示器１７に３秒間だけ点滅表示させる。
【００２９】
第１服薬完了時刻の記憶と表示（２０４）に続いて、服薬管理支援装置は翌日の第１服薬予定時刻を更新する（２０５）。即ち、午前６時３９分に１０分を加えた午前６時４９分となる。このようにして、翌日の第１服薬予定時刻は午前６時３２分から午前６時４９分に更新される。
【００３０】
（第２服薬予定時刻よりも前に服薬した場合）
第２服薬予定時刻である午後７時１６分よりも早い午後６時５８分に利用者が服薬した場合、服薬管理支援装置は第２服薬予定時刻の到達の判定（２０７）と蓋閉信号の入力の判定（２０８）と第２服薬時間帯か否かの判定（２０９）に続いて、第２服薬完了時刻の記憶と表示を行う（２１０）。即ち、制御部１１は午後６時５８分を当日の第２服薬完了時刻として服薬完了時刻記憶部１４ａに記憶し、液晶表示器１７に３秒間だけ表示させる。第２服薬時間帯は、第２服薬予定時刻の前後１時間から後１時間までの間の２時間である。
【００３１】
第２服薬完了時刻の記憶と表示（２１０）に続いて、服薬管理支援装置は翌日の第２服薬予定時刻を更新する（２１１）。即ち、制御部１１は服薬完了時刻記憶部１４ａに記憶された当日の第２服薬完了時刻に調整時間を加減して翌日の第２服薬予定時刻を算出し、服薬予定時刻記憶部１４ｂに記憶する。ここでは、調整時間をプラス１０分とする。従って、この場合の翌日の第２服薬予定時刻は午後６時５８分に１０分を加えた午後７時８分となる。このようにして、翌日の第２服薬予定時刻は午後７時１６分から午後７時８分に更新される。
【００３２】
（第２服薬予定時刻よりも後に服薬した場合）
第２服薬予定時刻である午後７時１６分までに服薬しなかった場合、服薬管理支援装置は第２服薬予定時刻の到達の判定（２１１）に続いて、第２服薬予定時刻である旨の服薬催告を行う（２１２）。
【００３３】
第２服薬予定時刻の午前７時１６分より後の午後７時２０分に利用者が服薬したならば、服薬管理支援装置は蓋閉信号の入力の判定（２０８）と第２服薬時間帯か否かの判定（２０９）に続いて、第２服薬完了時刻の記憶と表示を行う（２１０）。即ち、制御部１１は午後７時２０分を当日の第２服薬完了時刻として服薬完了時刻記憶部１４ａに記憶し、液晶表示器１７に３秒間だけ点滅表示させる。
【００３４】
第２服薬完了時刻の記憶と表示（２１０）に続いて、服薬管理支援装置は翌日の第２服薬予定時刻を更新する（２１１）。即ち、午後７時２０分に１０分を加えた午後７時３０分となる。このようにして、翌日の第２服薬予定時刻は午後７時１６分から午後７時３０分に更新される。
【００３５】
（二度飲み警告）
第１実施形態の服薬管理支援装置には、二度飲み警告機能を付加することも可能である。この二度飲み警告機能は、第１服薬予定時刻の到達の判定（２０１）と蓋閉信号入力の判定（２０２）の間と、第２服薬予定時刻の到達の判定（２０７）と蓋閉信号入力の判定（２０８）の間とに、二度飲み警告処理を付加することで実現される。
【００３６】
即ち、第１服薬予定時刻の到達の判定（２０１）と蓋閉信号入力の判定（２０２）の間に付加された二度飲み警告処理の流れは、図４に示す如く、蓋開信号入力の判定（２０１１）、直近の服薬完了時刻から３時間経過したか否かの判定（２０２２）、二度飲み警告開始（２０２３）、蓋閉信号入力の判定（２０２４）、及び二度飲み警告停止（２０２５）の４つの処理ステップからなるものである。この場合の直近の服薬完了時刻は前日の第２服薬完了時刻である。
【００３７】
第１実施形態の服薬管理支援装置において、服薬予定時刻の到達の判定は、プログラムに従って制御部１１が服薬予定時刻記憶部１４ｂに記憶されている複数の服薬予定時刻が含まれたテーブルをソートし、且つ現在時刻と比較して行う。また、服薬催告は、プログラムに従って制御部１１がブザー１８を駆動して行う。
【００３８】
上述した如く、第１実施形態の服薬管理支援装置において、翌日の服薬予定時刻の初期設定もその後の更新も、利用者が薬箱の蓋を開閉するだけで自動的に行われる。そして初期設定後の翌日の服薬予定時刻は、当日の服薬完了時刻に所定の演算を施して得られた時刻である。服薬催告を出来るだけ聞きたくない利用者には、当日の服薬完了時刻に調整時間を加算して翌日の服薬予定時刻が設定される。逆に服薬催告を毎回聞きたい利用者には、当日の服薬完了時刻から調整時間を減算して翌日の服薬予定時刻が設定される。また、服薬催告が行われた後に服薬した場合は、翌日の服薬予定時刻は変更しないという処理も可能である。なお、調整時間は３０分以内が実用的である。
【００３９】
なお、前記翌日の服薬予定時刻は、服薬完了時刻記憶部１４ａに記憶されている複数の服薬完了時刻の中から選択して設定してもよい。例えば、服薬完了時刻記憶部１４ａに１週間分の服薬完了時刻を記憶しておく。そして、変更したい場合に、服薬完了時刻記憶部１４ａに記憶された７つの服薬完了時刻の中から、利用者が電子時計の図示しない機能ボタンを操作して、翌日の服薬予定時刻を選択する。この場合の利用者の行為は薬箱の蓋の開閉の他に、前記機能ボタンを押して服薬予定時刻の変更の指示を制御部１１に入力することと、前記機能ボタンを押して液晶表示器１７に表示された服薬完了時刻の中から所望の時刻を選択することが付加されるので、翌日の服薬予定時刻の設定は言わば半自動的に設定されることになる。
【００４０】
（第２実施形態）
図５のブロック図に示す第２実施形態の服薬管理支援装置は、図９に斜視図で示す１個の薬入れを有する薬箱１に、電子時計と薬入れ開閉センサとが組み込まれて構成された服薬管理支援装置である。前記電子時計は、プログラムに従って各種の演算と制御を行う制御部１１、時刻を計時する計時部１２、前記プログラムが記憶されたプログラム記憶部１３、服薬完了時刻が記憶された服薬完了時刻記憶部１４ａと服薬予定時刻テーブルが記憶された服薬予定時刻記憶部１４ｂとを有するデータ記憶部１４、時刻設定ボタン１５、服薬完了時刻を再確認するための確認ボタン１６、液晶表示器１７、ブザー１８、２４時間電子タイマーである第１タイマー２１、及び２４時間電子タイマーである第２タイマー２２とで構成されている。
【００４１】
前記薬入れ開閉センサは蓋開閉センサ２５である。即ち、蓋開閉センサ２５は、利用者が薬入れの蓋を開けた時に蓋開信号を、蓋を閉めた時に蓋閉信号を夫々発生し制御部１１に入力する。
【００４２】
処方薬が朝食後と夕食後の１日２回服用するものである場合、第１タイマー２１は朝食時タイマーであり、第２タイマー２２は夕食時タイマーである。
【００４３】
図５に示す第２実施形態の服薬管理支援装置の初期設定時の動作は、図６のフローチャートに示す如くである。即ち、服薬管理支援装置は、薬入れの蓋開閉センサ２５からの蓋閉信号の入力を待機している（３０１）。蓋閉信号が入力されると、服薬管理支援装置は直ちに第１タイマー２１をリセットし、且つスタートさせる（３０２）。利用者が午前６時３２分に薬入れの蓋を閉めたとすれば、翌日の第１服薬予定時刻は午前６時３２分である。このように利用者が薬箱の蓋を開閉するだけで、第１服薬予定時刻が自動的に設定される。
【００４４】
ステップ３０２に続いて、服薬管理支援装置は、第１服薬完了時刻の記憶と表示を行う（３０３）。即ち、制御部１１はプログラムに従って、前記蓋閉信号が入力された時に計時部１２が計時している現在時刻を、第１服薬完了時刻としてデータ記憶部１４の服薬完了時刻記憶部１４ａに記憶する。続いて、制御部１１はプログラムに従って、服薬完了時刻記憶部１４ａに記憶された第１服薬完了時刻を液晶表示器１７に所定時間だけ点滅表示させる。前記所定時間は例えば３秒である。利用者は、この第１服薬完了時刻の点滅表示によって、第１回目の服薬を完了したことを簡単且つ確実に確認することができる。
【００４５】
ステップ３０３に続いて、服薬管理支援装置は蓋閉信号の入力を待機している（３０４）。蓋閉信号が入力されると、服薬管理支援装置は直ちに第２タイマー２２をリセットし、且つスタートさせる（３０５）。利用者が午後７時１６分に薬入れの蓋を閉めたとすれば、第２服薬予定時刻は午後７時１６分である。このように利用者が薬箱の蓋を開閉するだけで、第２服薬予定時刻が自動的に設定される。
【００４６】
ステップ３０５に続いて、服薬管理支援装置は第２服薬完了時刻の記憶と表示を行う（３０６）。即ち、制御部１１は午後７時１６分を当日の第２服薬完了時刻として服薬完了時刻記憶部１４ａに記憶し、液晶表示器１７に３秒間だけ点滅表示させる。このような流れを経て、服薬管理支援装置は初期設定の処理を終了する。
【００４７】
次に、図５に示す第２実施形態の服薬管理支援装置の初期設定後の動作は、図７のフローチャートに示す如くである。図６のフローチャートに従って初期設定された第１服薬予定時刻は午前６時３２分であり、第２服薬予定時刻は午後７時１６分である。
【００４８】
（第１服薬予定時刻よりも前に服薬した場合）
第１服薬予定時刻である午前６時３２分よりも早い午前６時１８分に利用者が服薬した場合、服薬管理支援装置は第１服薬予定時刻の到達の判定（４０１）と蓋閉信号の入力の判定（４０２）と第１服薬時間帯か否かの判定（４０３）に続いて、第１タイマー２１をリセットし、再スタートさせる（４０４）。第１タイマー２１は２４時間電子タイマーであるから、翌日の第１服薬予定時刻は午前６時１８分である。第１服薬時間帯は、第１服薬予定時刻の前１時間から後１時間までの間の２時間である。
【００４９】
第１タイマー２１の再スタート（４０４）に続いて、服薬管理支援装置は第１服薬完了時刻の記憶と表示を行う（４０５）。即ち、制御部１１は午前６時１８分を当日の第１服薬完了時刻として服薬完了時刻記憶部１４ａに記憶し、液晶表示器１７に３秒間だけ点滅表示させる。
【００５０】
（第１服薬予定時刻よりも後に服薬した場合）
第１服薬予定時刻である午前６時３２分までに服薬しなかった場合、服薬管理支援装置は第１服薬予定時刻の到達の判定（４０１）に続いて、第１服薬予定時刻である旨の服薬催告を行う（４０６）。続いて、服薬管理支援装置は第１タイマー２１をリセットし、再スタートさせる（４０７）。第１タイマー２１は２４時間電子タイマーであるから、翌日の第１服薬予定時刻は午前６時３２分である。
【００５１】
第１服薬予定時刻の午前６時３２分より後の午前６時３９分に利用者が服薬したならば、服薬管理支援装置は蓋閉信号の入力の判定（４０２）と第１服薬時間帯か否かの判定（４０３）に続いて、第１タイマー２１をリセットし、再スタートさせる（４０４）。第１タイマー２１は２４時間電子タイマーであるから、翌日の第１服薬予定時刻は午前６時３９分である。
【００５２】
第１タイマー２１の再スタート（４０４）に続いて、服薬管理支援装置は第１服薬完了時刻の記憶と表示を行う（４０５）。即ち、制御部１１は午前６時３９分を当日の第１服薬完了時刻として服薬完了時刻記憶部１４ａに記憶し、液晶表示器１７に３秒間だけ点滅表示させる。
【００５３】
（第２服薬予定時刻よりも前に服薬した場合）
第２服薬予定時刻である午後７時１６分よりも早い午後６時５８分に利用者が服薬した場合、服薬管理支援装置は第２服薬予定時刻の到達の判定（４０８）と蓋閉信号の入力の判定（４０９）と第２服薬時間帯か否かの判定（４１０）に続いて、第２タイマー２２をリセットし、再スタートさせる（４１１）。第２タイマー２２は２４時間電子タイマーであるから、翌日の第２服薬予定時刻は午後６時５８分である。第２服薬時間帯は、第２服薬予定時刻の前１時間から後１時間までの間の２時間である。
【００５４】
第２タイマー２２の再スタート（４１１）に続いて、服薬管理支援装置は第１服薬完了時刻の記憶と表示を行う（４１２）。即ち、制御部１１は午後６時５８分を当日の第２服薬完了時刻として服薬完了時刻記憶部１４ａに記憶し、液晶表示器１７に３秒間だけ点滅表示させる。
【００５５】
（第２服薬予定時刻よりも後に服薬した場合）
第２服薬予定時刻である午後７時１６分までに服薬しなかった場合、服薬管理支援装置は第２服薬予定時刻の到達の判定（４０８）に続いて、第２服薬予定時刻である旨の服薬催告を行う（４１３）。続いて、服薬管理支援装置は第２タイマー２２をリセットし、再スタートさせる（４１４）。第２タイマー２２は２４時間電子タイマーであるから、翌日の第２服薬予定時刻は午後７時１６分である。
【００５６】
第２服薬予定時刻の後の午後７時２０分に利用者が服薬したならば、服薬管理支援装置は蓋閉信号の入力の判定（４０９）と第２服薬時間帯か否かの判定（４１０）に続いて、第２タイマー２２をリセットし、再スタートさせる（４１１）。第２タイマー２２は２４時間電子タイマーであるから、翌日の第２服薬予定時刻は午後７時２０分である。
【００５７】
第２タイマー２２の再スタート（４１１）に続いて、服薬管理支援装置は第２服薬完了時刻の記憶と表示を行う（４１２）。即ち、制御部１１は午後７時２０分を当日の第２服薬完了時刻として服薬完了時刻記憶部１４ａに記憶し、液晶表示器１７に３秒間だけ点滅表示させる。
【００５８】
（二度飲み警告）
第２実施形態の服薬管理支援装置にも、二度飲み警告機能を付加することも可能である。この二度飲み警告機能は、第１服薬予定時刻の到達の判定（４０１）と蓋閉信号入力の判定（４０２）の間と、第２服薬予定時刻の到達の判定（４０８）と蓋閉信号入力の判定（４０９）の間とに、第１実施形態において説明した如き二度飲み警告処理を付加することで実現される。
【００５９】
上述した如く、１日の服薬回数と同じ数の電子タイマーであって薬入れ開閉センサの信号に基づいてリセットされ且つスタートさせられる電子タイマーを備える第２実施形態の服薬管理支援装置において、翌日の服薬予定時刻の初期設定もその後の更新も、利用者が薬箱の蓋を開閉するだけで自動的に設定される。そして、前記電子タイマーとして２４時間タイマーを採用した場合、初期設定後の翌日の服薬予定時刻は当日の服薬完了時刻と同じ時刻である。
【００６０】
（第３実施形態）
図８のブロック図に示す第３実施形態の服薬管理支援装置は、図９に斜視図で示す１個の薬入れを有する薬箱１に、電子時計と薬入れ開閉センサと電子タイマー２３が組み込まれて構成された服薬管理支援装置である。前記電子時計は、プログラムに従って各種の演算と制御を行う制御部１１、時刻を計時する計時部１２、前記プログラムが記憶されたプログラム記憶部１３、服薬完了時刻が記憶された服薬完了時刻記憶部１４ａと服薬予定時刻テーブルが記憶された服薬予定時刻記憶部１４ｂとを有するデータ記憶部１４、時刻設定ボタン１５、服薬完了時刻を再確認するための確認ボタン１６、液晶表示器１７、ブザー１８とで構成されている。
【００６１】
前記薬入れ開閉センサは蓋開閉センサ２５である。即ち、蓋開閉センサ２５は、利用者が薬入れの蓋を開けた時に蓋開信号を、蓋を閉めた時に蓋閉信号を夫々発生し制御部１１に入力する。また、電子タイマー２３は、第２実施形態における第１電子タイマーや第２電子タイマーと異なり、薬箱の蓋の開閉によって操作される操作ピン２３ａによってリセットされ、且つ計数をスタートさせるものである。
【００６２】
電子タイマー２３は設定値が２４時間に固定された２４時間電子タイマーである。薬箱の蓋が開かれて操作ピン２３ａが上昇すると電子タイマー２３はリセットされ、薬箱の蓋が閉じられて操作ピン２３ａが下降すると電子タイマー２３は計数をスタートさせる。スタート時刻からの経過時間が２４時間に到達すると、電子タイマー２３は一致信号を発生し、制御部１１に入力する。すると、制御部１１はブザー１８を駆動して服薬催告を行う。電子タイマー２３のスタート時刻は利用者の服薬完了時刻であるから、服薬完了時刻から２４時間経過したときに服薬催告を発生することになる。従って、翌日の服薬催告は、当日の服薬完了時刻と同じ時刻に発生することになる。
【００６３】
上述の実施形態の服薬催告機能を有する服薬管理支援装置は、１日１回だけ服薬催告を発生させるものであるから、朝食後だけ、昼食後だけ、或いは就寝前だけとかの如く、服薬が１日に１回だけの利用者にとっては有用である。
【００６４】
毎食後や毎食前の如く、１日に３回服薬しなければならない利用者のための服薬催告機能を有する服薬管理支援装置は、朝食時薬入れ、昼食時薬入れ、夕食時薬入れの３つの薬入れを備えた仕分け薬箱と、各薬入れに配置された電子タイマーと操作ピンとで構成されている。即ち、朝食時薬入れには朝食時タイマーと朝食時操作ピンが配置され、昼食時薬入れには昼食時タイマーと昼食時操作ピンが配置され、更に、夕食時薬入れには夕食時タイマーと朝食時操作ピンが配置されている。
【００６５】
利用者が朝食時薬入れを開けると朝食時操作ピンが上昇して朝食時タイマーをリセットし、朝食時薬入れを閉じると朝食時操作ピンが下降して朝食時タイマーを始動させる。利用者が昼食時薬入れを開けると昼食時操作ピンが上昇して昼食時タイマーをリセットし、昼食時薬入れを閉じると昼食時操作ピンが下降して昼食時タイマーを始動させる。更に、利用者が夕食時薬入れを開けると夕食時操作ピンが上昇して夕食時タイマーをリセットし、夕食時薬入れを閉じると夕食時操作ピンが下降して夕食時タイマーを始動させる。要するに、１日に複数回服薬しなければならない利用者のための服薬催告機能付き服薬管理支援装置は、複数の薬入れを備えた仕分け薬箱と、各薬入れに配置された電子タイマーと蓋開閉センサとで構成される。
【００６６】
上述した如く、１日の服薬回数と同じ数の電子タイマーであって、薬入れの開閉で操作される操作ピンでリセットされ且つスタートさせられる電子タイマーを備える第３実施形態の服薬管理支援装置において、翌日の服薬予定時刻の初期設定もその後の更新も、利用者が薬箱の蓋を開閉するだけで自動的に設定される。そして、前記電子タイマーとして２４時間タイマーを採用した場合、初期設定後の翌日の服薬予定時刻は当日の服薬完了時刻と同じ時刻である。
【００６７】
なお、第２実施形態と第３実施形態の服薬管理支援装置において、電子タイマーには２４時間タイマーを採用したが、２４時間プラスマイナス３０分の範囲内で設定値が変更できる電子タイマーを採用することも可能である。服薬催告を出来るだけ聞きたくない利用者には２４時間３０分タイマーが、服薬催告を必ず聞きたい利用者には２３時間３０分タイマーが望ましい。
【００６８】
【発明の効果】
本発明の服薬催告機能付き服薬管理支援装置の利用者は、１日１回ないし複数回の自分の服薬パターンに対応して、服薬予定時刻を簡単に設定できる。また、服薬パターンが変更された場合には、利用者は翌日の服薬予定時刻の更新を簡単に行うことができる。服薬予定時刻の初期設定も更新も、利用者は薬入れを開閉するだけである。従って、本発明の服薬催告機能付き服薬管理支援装置の利用者は、面倒な時刻設定ボタン等による操作を行うことなく、翌日の服薬予定時刻を簡単に設定できるようになった。
【図面の簡単な説明】
【図１】第１実施形態の服薬管理支援装置のブロック回路図である。
【図２】第１実施形態の服薬管理支援装置における初期設定動作を示すフローチャートである。
【図３】第１実施形態の服薬管理支援装置における初期設定後の処理動作を示すフローチャートである。
【図４】第１実施形態の服薬管理支援装置における二度飲み警告を発生させる処理動作を示すフローチャートである。
【図５】第２実施形態の服薬管理支援装置のブロック回路図である。
【図６】第２実施形態の服薬管理支援装置における服薬予定時刻の初期設定時の処理動作を示すフローチャートである。
【図７】第２実施形態の服薬管理支援装置における初期設定後の処理動作を示すフローチャートである。
【図８】第３実施形態の服薬管理支援装置のブロック回路図である。
【図９】本発明に係る服薬管理支援装置の一実施例の斜視図である。
【符号の説明】
１  薬箱
１ａ  薬箱本体
１ｂ  薬入れ
１ｃ  蓋
１ｄ  薬殻入れ
２  電子時計
１１  制御部
１２  計時部
１３  プログラム記憶部
１４  データ記憶部
１４ａ  服薬完了時刻記憶部
１４ｂ  服薬予定時刻記憶部
１５  時刻設定ボタン
１６  確認ボタン
１７  液晶表示器
１７ａ  液晶表示パネル
１８  ブザー
１８ａ  ブザーの放音口
２１  第１タイマー
２２  第２タイマー
２３  電子タイマー
２３ａ  電子タイマーの操作ピン
２５  蓋開閉センサ
２５ａ  蓋開閉センサの検出ピン
【図１】
2004329399.tif 000003
【図２】
2004329399.tif 000004
【図３】
2004329399.tif 000005
【図４】
2004329399.tif 000006
【図５】
2004329399.tif 000007
【図６】
2004329399.tif 000008
【図７】
2004329399.tif 000009
【図８】
2004329399.tif 000010
【図９】
2004329399.tif 000011